【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
コンピュータに、
商品の売買条件を設定するための売買条件設定領域、及び前記売買条件設定領域に配置されることにより前記売買条件を構成する複数の売買条件画像を表示する売買条件画像領域を含む売買条件設定画面を表示する第１表示手順と、
前記売買条件設定画面において設定された前記売買条件に基づいて、前記商品の売買の執行をするか否かを判断する判断手順と、
を実行させるための売買判断プログラム。
【請求項２】
前記コンピュータに、前記第１表示手順において、前記商品を売買する条件を設定するために用いられる条件画像、前記商品の売買の執行内容を設定するために用いられる執行画像、及び前記条件画像と前記執行画像とを関連付けるための矢印画像を、前記複数の売買条件画像として前記売買条件画像領域に表示させる、
請求項１に記載の売買判断プログラム。
【請求項３】
前記コンピュータに、前記第１表示手順において、前記条件画像、前記執行画像及び前記矢印画像を配置する複数の領域から構成されるパレット画像を、前記売買条件設定領域に表示させる、
請求項２に記載の売買判断プログラム。
【請求項４】
前記コンピュータに、
前記売買条件設定領域に配置された前記条件画像が選択されると、前記商品の売買の条件を入力するための画面を表示させる第２表示手順を実行させる、
請求項２又は３に記載の売買判断プログラム。
【請求項５】
前記コンピュータに、
前記第２表示手順において、複数の仮想取引時間に対応する複数の仮想商品取引情報と、少なくとも１つの商品の複数の実取引時間に対応する複数の複数の実商品取引情報の少なくとも一部との相関値、及び、複数の実商品取引情報と売買を実行するための閾値との関係を設定する画面を表示させる、
請求項４に記載の売買判断プログラム。
【請求項６】
前記コンピュータに、
前記売買条件設定領域に配置された前記執行画像が選択されると、前記商品の売買の執行内容を設定するための画面を表示させる第３表示手順を実行させる、
請求項２から５のいずれか１項に記載の売買判断プログラム。
【請求項７】
前記コンピュータに、
前記判断手順において、複数の仮想取引時間に対応する複数の仮想商品取引情報と少なくとも１つの商品の複数の実商品取引情報の少なくとも一部との間の相関値が前記売買条件を満たし、かつ、前記複数の実商品取引情報と売買を実行するための閾値との関係が前記売買条件を満たす場合に、前記商品の売買を執行するという判断をさせる、
請求項１から６のいずれか１項に記載の売買判断プログラム。
【請求項８】
商品の売買条件を設定するための売買条件設定領域、及び前記売買条件設定領域に配置されることにより前記売買条件を構成する要素である複数の売買条件画像を表示する売買条件画像領域を含む売買条件設定画面を表示する表示部と、
前記売買条件設定画面において設定された前記売買条件に基づいて、前記商品の売買の執行をするか否かを判断する判断部と、
を備える売買判断システム。
【請求項９】
コンピュータにより実行される、
商品の売買条件を設定するための売買条件設定領域、及び前記売買条件設定領域に配置されることにより前記売買条件を構成する要素である複数の売買条件画像を表示する売買条件画像領域を含む売買条件設定画面を表示する第１表示手順と、
前記売買条件設定画面において設定された前記売買条件に基づいて、前記商品の売買の執行をするか否かを判断する判断手順と、
を有する売買判断方法。
【手続補正２】
【補正対象書類名】明細書
【補正対象項目名】０００６
【補正方法】変更
【補正の内容】
【０００６】
しかし、従来の売買システムにおいては、指定した株価との大小、他の株式の株価との差額、又は、指定した株価に対する倍率などを売買ルールに設定することができたものの、株価の変動パターンなどを考慮した売買ルールを容易に設定することは困難であった。
【手続補正３】
【補正対象書類名】明細書
【補正対象項目名】０００７
【補正方法】変更
【補正の内容】
【０００７】
そこで、本発明はこれらの点を鑑みてなされたものであり、売買ルールを容易に設定できる売買判断プログラム、売買判断システム及び売買判断方法を提供することを目的とする。
【手続補正４】
【補正対象書類名】明細書
【補正対象項目名】０００８
【補正方法】変更
【補正の内容】
【０００８】
本発明の第１の態様においては、コンピュータに、商品の売買条件を設定するための売買条件設定領域、及び前記売買条件を構成する要素である複数の売買条件画像を表示する売買条件画像領域を含む売買条件設定画面を表示する第１表示手順と、前記売買条件設定画面において設定された前記売買条件に基づいて、前記商品の売買の執行をするか否かを判断する判断手順と、を実行させるための売買判断プログラムを提供する。
【手続補正５】
【補正対象書類名】明細書
【補正対象項目名】０００９
【補正方法】変更
【補正の内容】
【０００９】
上記の売買判断プログラムは、前記コンピュータに、前記第１表示手順において、前記商品を売買する条件を設定するために用いられる条件画像、前記商品の売買の執行内容を設定するために用いられる執行画像、及び前記条件画像と前記執行画像とを関連付けるための矢印画像を、前記複数の売買条件画像として前記売買条件画像領域に表示させてもよい。
【手続補正６】
【補正対象書類名】明細書
【補正対象項目名】００１０
【補正方法】変更
【補正の内容】
【００１０】
上記の売買判断プログラムは、前記コンピュータに、前記第１表示手順において、前記条件画像、前記執行画像及び前記矢印画像を配置する複数の領域から構成されるパレット画像を、前記売買条件設定領域に表示させてもよい。
【手続補正７】
【補正対象書類名】明細書
【補正対象項目名】００１１
【補正方法】変更
【補正の内容】
【００１１】
上記の売買判断プログラムは、前記コンピュータに、前記売買条件設定領域に配置された前記条件画像が選択されると、前記商品の売買の条件を入力するための画面を表示させる第２表示手順を実行させてもよい。
【手続補正８】
【補正対象書類名】明細書
【補正対象項目名】００１２
【補正方法】変更
【補正の内容】
【００１２】
上記の売買判断プログラムは、前記コンピュータに、前記第２表示手順において、複数の仮想取引時間に対応する複数の仮想商品取引情報と、少なくとも１つの商品の複数の実取引時間に対応する複数の複数の実商品取引情報の少なくとも一部との相関値、及び、複数の実商品取引情報と売買を実行するための閾値との関係を設定する画面を表示させてもよい。
【手続補正９】
【補正対象書類名】明細書
【補正対象項目名】００１３
【補正方法】変更
【補正の内容】
【００１３】
上記の売買判断プログラムは、前記コンピュータに、前記売買条件設定領域に配置された前記執行画像が選択されると、前記商品の売買の執行内容を設定するための画面を表示させる第３表示手順を実行させてもよい。
【手続補正１０】
【補正対象書類名】明細書
【補正対象項目名】００１４
【補正方法】変更
【補正の内容】
【００１４】
上記の売買判断プログラムは、前記コンピュータに、前記判断手順において、複数の仮想取引時間に対応する複数の仮想商品取引情報と少なくとも１つの商品の複数の実商品取引情報の少なくとも一部との間の相関値が前記売買条件を満たし、かつ、前記複数の実商品取引情報と売買を実行するための閾値との関係が前記売買条件を満たす場合に、前記商品の売買を執行するという判断をさせてもよい。
【手続補正１１】
【補正対象書類名】明細書
【補正対象項目名】００１５
【補正方法】変更
【補正の内容】
【００１５】
本発明の第２の態様においては、商品の売買条件を設定するための売買条件設定領域、及び前記売買条件設定領域に配置されることにより前記売買条件を構成する複数の売買条件画像を表示する売買条件画像領域を含む売買条件設定画面を表示する表示部と、前記売買条件設定画面において設定された前記売買条件に基づいて、前記商品の売買の執行をするか否かを判断する判断部と、を備える売買判断システムを提供する。
【手続補正１２】
【補正対象書類名】明細書
【補正対象項目名】００１６
【補正方法】変更
【補正の内容】
【００１６】
本発明の第３の態様においては、コンピュータにより実行される商品の売買条件を設定するための売買条件設定領域、及び前記売買条件設定領域に配置されることにより前記売買条件を構成する複数の売買条件画像を表示する売買条件画像領域を含む売買条件設定画面を表示する第１表示手順と、前記売買条件設定画面において設定された前記売買条件に基づいて、前記商品の売買の執行をするか否かを判断する判断手順と、を有する売買判断方法を提供する。
【手続補正１３】
【補正対象書類名】明細書
【補正対象項目名】００１７
【補正方法】変更
【補正の内容】
【００１７】
本発明によれば、売買ルールを容易に設定できるという効果を奏する。